(57)【要約】      （修正有）【課題】作動障害の発生を抑制したスライド装置の一例を開示する。【解決手段】ナット部１４は、貫通方向両端に貫通方向と略直交する平面部１４Ｂ、１４Ｃを有する。収納部１７Ａは、貫通方向と直交する異なる２方向に変位可能な状態でナット部１４を収納し、かつ、一対の平面部１４Ｂ、１４Ｃそれぞれに滑り接触可能な一対の接触面１７Ｂ、１７Ｃを有する。これにより、ナット部１４は、収納部１７Ａ内において、貫通方向と直交する異なる２方向に変位可能である。このため、ネジ棒１３が撓み変形した場合であっても、ナット部１４が収納部１７Ａ内に変位することにより、当該撓み変形を吸収でき得る。延いては、スライド装置に作動障害が発生することを抑制でき得る。【選択図】図７
2018184055.tif 000002
【特許請求の範囲】
【請求項１】
シートをスライド可能に支持するスライド装置において、
固定レールと
前記固定レールにスライド可能に装着され、シートが固定される可動レールと、
回転力を受けて回転するネジ棒であって、前記可動レールの長手方向と平行な方向に延びるとともに、前記可動レールに回転可能に支持された状態で当該可動レールに固定されたネジ棒と、
前記ネジ棒と噛み合うナット部であって、両端に前記長手方向と略直交する平面部を有するナット部と、
前記固定レールに固定されたブロック部であって、一対の前記平面部それぞれに滑り接触可能な一対の接触面を有し、かつ、前記長手方向と直交する異なる２方向に変位可能な状態でナット部を収納する収納部が設けられたブロック部と
を備えるスライド装置。
【請求項２】
前記ブロック部は、複数の締結具により前記固定レールに固定され、
さらに、複数の締結具は、前記長手方向に並んでいる請求項１に記載のスライド装置。
【請求項３】
前記２方向のうちいずれか一方の方向を第１方向としたとき、
前記一対の接触面のうち前記第１方向と平行な部位の寸法は、前記ネジ棒の直径寸法以上である請求項１又は２に記載のスライド装置。
【発明の詳細な説明】
【技術分野】
【０００１】
本願は、シートをスライド可能に支持するスライド装置に関する。
【背景技術】
【０００２】
例えば、特許文献１に記載のスライド装置は、固定レール、可動レール、ネジ棒及びナット部等を備えている。ネジ棒は、可動レールの長手方向と平行な方向に延びるとともに、電動モータにより回転駆動される。ナット部は、ネジ棒と噛み合うとともに、固定レールの長手方向、及び上下方向において当該固定レールに対して不動である。
【先行技術文献】
【特許文献】
【０００３】
【特許文献１】米国特許第５７１１１８４号明細書
【発明の概要】
【発明が解決しようとする課題】
【０００４】
特許文献１に係るナット部は、固定レールに対して上下方向に不動である。このため、ネジ棒が上下方向に撓んでいる場合、又は上下方向の荷重を受けてネジ棒が上下方向に撓んだ場合には、スライド装置に作動障害が発生するおそれがある。そこで、本願は、作動障害の発生を抑制可能なスライド装置の一例を開示する。
【課題を解決するための手段】
【０００５】
スライド装置は、回転力を受けて回転するネジ棒（１３）であって、可動レール（１２）の長手方向と平行な方向に延びるとともに、可動レール（１２）に回転可能に支持された状態で当該可動レール（１２）に固定されたネジ棒（１３）と、ネジ棒（１３）と噛み合うナット部（１４）であって、両端に長手方向と略直交する平面部（１４Ｂ、１４Ｃ）を有するナット部（１４）と、固定レール（１１）に固定されたブロック部（１７）であって、長手方向と直交する異なる２方向に変位可能な状態でナット部（１４）を収納し、かつ、一対の平面部（１４Ｂ、１４Ｃ）それぞれに滑り接触可能な一対の接触面（１７Ｂ、１７Ｃ）が設けられた収納部（１７Ａ）を有するブロック部（１７）とを備える。
【０００６】
これにより、ネジ棒（１３）が回転することにより発生する長手方向の力は、一対の平面部（１４Ｂ、１４Ｃ）のうちいずれか一方が一対の接触面（１７Ｂ、１７Ｃ）のうちいずれか一方と接触することにより可動レール（１２）に作用する。したがって、ネジ棒（１３）が回転すると、可動レール（１２）がスライド変位する。
【０００７】
ナット部（１４）は、収納部（１７Ａ）内において、長手方向と直交する異なる２方向に変位可能である。
このため、ネジ棒（１３）が上下方向に撓み変形した場合、又は上下方向の荷重を受けてネジ棒（１３）が上下方向に撓み変形した場合であっても、ナット部（１４）が収納部（１７Ａ）内に変位することにより、当該撓み変形を吸収でき得る。延いては、スライド装置に作動障害が発生することを抑制でき得る。
【０００８】
なお、スライド装置は、以下の構成であってもよい。
すなわち、ブロック部（１７）は、複数の締結具（Ｂ３）により固定レール（１１）に固定され、複数の締結具（Ｂ３）は、長手方向に並んでいることが望ましい。これにより、ブロック部（１７）が固定レール（１１）に強固に固定されるので、スライド装置に作動障害が発生することを抑制でき得る。
【０００９】
因みに、特許文献１に記載のスライド装置では、上下方向を中心軸としてナット部が回転可能である。このため、特許文献１に記載のスライド装置では、ナット部と固定レールとの固定強度は、本願に係るスライド装置より低い。
【００１０】
上記２方向のうちいずれか一方の方向を第１方向としたとき、一対の接触面（１７Ｂ、１７Ｃ）のうち第１方向と平行な部位の寸法は、ネジ棒（１３）の直径寸法以上であることが望ましい。これにより、各接触面（１７Ｂ、１７Ｃ）の接触面圧が過度に大きくなることを抑制できるので、スライド装置の耐久性を向上させることができ得る。
【００１１】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【００１２】
【図１】本発明の実施形態に係る乗物用シートを示す図である。
【図２】本発明の実施形態に係るスライド装置の斜視図である。
【図３】本発明の実施形態に係るスライド装置の分解斜視図である。
【図４】本発明の実施形態に係るスライド装置の長手方向断面図である。
【図５】本発明の実施形態に係る第１支持部の断面図である。
【図６】本発明の実施形態に係る第２支持部の断面図である。
【図７】本発明の実施形態に係る収納ブロック部及びナット部１４の拡大図である。
【図８】本発明の実施形態に係る収納ブロック部及びナット部１４の分解図である。
【図９】Ａは第１支持ブロック部１５Ａの斜視図である。Ｂは第２支持ブロック部１６Ａの斜視図である。
【発明を実施するための形態】
【００１３】
以下に説明する「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１４】
以下、本発明の実施形態を図面と共に説明する。なお、各図に付された方向を示す矢印等は、各図相互の関係を理解し易くするために記載したものである。本発明は、各図に付された方向に限定されるものではない。
【００１５】
少なくとも符号を付して説明した部材又は部位は、「１つの」等の断りをした場合を除き、少なくとも１つ設けられている。つまり、「１つの」等の断りがない場合には、当該部材は２以上設けられていてもよい。
【００１６】
（第１実施形態）
１．スライド装置の概要
本実施形態は、車両用シート等の乗物用シートをスライド可能に支持する電動式のスライド装置に本発明を適用したものである。
【００１７】
図１に示すように、スライド装置１０は、乗物用シート１の下方側に配設されて当該乗物用シート１を支持する。乗物用シート１は、複数（本実施形態では、２つ）のスライド装置１０により支持される（図２参照）。
【００１８】
本実施形態では、シート幅方向一端側に配設されたスライド装置１０とシート幅方向他端側に配設されたスライド装置１０とは同一構造である。以下、シート幅方向一端側に配設されたスライド装置１０を例に、本実施形態に係るスライド装置１０の構造等を説明する。
【００１９】
２．スライド装置の構造
＜スライド装置の概要＞
スライド装置１０は、図３に示すように、固定レール１１及び可動レール１２等を少なくとも備える。固定レール１１は、レッグブラケット（図示せず。）等を介して車両側に固定される。
【００２０】
可動レール１２は、固定レール１１にスライド可能に装着された部材である。当該可動レール１２は複数の転動体１２Ａにより支持されている。複数の転動体１２Ａは、可動レール１２及び固定レール１１に転がり接触可能である。したがって、可動レール１２は、固定レール１１に対してスライド変位できる。
【００２１】
可動レール１２には乗物用シート１が固定される。このため、乗物用シート１は、可動レール１２と共に固定レール１１の長手方向と平行な方向に変位する。なお、本実施形態では、固定レール１１の長手方向は、シート前後方向と一致している。
【００２２】
ネジ棒１３は、可動レール１２の長手方向と平行な方向に延びるとともに、電動モータＭ（図２参照）から回転力を受けて回転する棒状の部材である。当該ネジ棒１３は、可動レール１２に回転可能に支持された状態で当該可動レール１２に固定されている。
【００２３】
つまり、ネジ棒１３は、可動レール１２に対する相対位置が変位することなく、当該ネジ棒１３の中心軸線を中心として回転可能である。具体的には、ネジ棒１３の延び方向両端側それぞれには、図４に示すように、第１支持部１５及び第２支持部１６が設けられている。
【００２４】
第１支持部１５は、ネジ棒１３の延び方向一端側（本実施形態では、シート前方側）を支持する。第２支持部１６は、ネジ棒１３の延び方向他端側（本実施形態では、シート後方側）を支持する。
【００２５】
＜第１支持部＞
第１支持部１５は、図５に示すように、第１支持ブロック部１５Ａ、第１軸受ナット１５Ｂ、第１ナット１５Ｃ、及び一対のブッシュ１５Ｄ、１５Ｅ等を少なくとも有する。第１支持ブロック部１５Ａは、ネジ棒１３が貫通する貫通穴１５Ｋを有する金属製の部材である。
【００２６】
第１支持ブロック部１５Ａは、ボルトＢ１にて可動レール１２に固定されている。当該第１支持ブロック部１５Ａの上下方向寸法Ｈ５（図９Ａ参照）及び幅方向寸法Ｗ２（図９Ａ参照）は、第１支持ブロック部１５Ａの前後方向寸法Ｌ２（図９Ａ参照）以上である。
【００２７】
第１軸受ナット１５Ｂは、円筒状の円筒部１５Ｆ及びナット部１５Ｇを有する。円筒部１５Ｆの内周面には、ネジ棒１３に形成された雄ねじと結合する雌ねじが設けられている。円筒部１５Ｆの外周面は、一対のブッシュ１５Ｄ、１５Ｅを介して第１支持ブロック部１５Ａの貫通穴１５Ｋの内周面と間接的に滑り接触する。
【００２８】
つまり、円筒部１５Ｆ、一対のブッシュ１５Ｄ、１５Ｅ及び第１支持ブロック部１５Ａの貫通穴１５Ｋの内周面により、ネジ棒１３を回転可能に支持するラジアル軸受部が構成されている。ナット部１５Ｇは、円筒部１５Ｆの外径寸法より大きい外形寸法を有する。
【００２９】
円筒部１５Ｆとナット部１５Ｇとは一体化されている。ナット部１５Ｇの外形状は、締め付け工具（例えば、スパナ）が装着可能な形状に構成されている。具体的には、当該外形状は、少なくとも二面幅部を有する形状（例えば、六角形状等）である。
【００３０】
第１ナット１５Ｃは、第１支持ブロック部１５Ａを挟んでナット部１５Ｇと反対側に配設されている。当該第１ナット１５Ｃは、ネジ棒１３に形成された雄ねじと結合する。このため、第１軸受ナット１５Ｂ及び第１ナット１５Ｃは、ネジ棒１３と一体的に回転する。
【００３１】
ブッシュ１５Ｄ、１５Ｅは、樹脂又は黄銅等の摩擦係数の小さい材質にて構成されている。ブッシュ１５Ｄの鍔部１５Ｈは、ナット部１５Ｇと第１支持ブロック部１５Ａとに挟まれて第１支持ブロック部１５Ａに固定される。
【００３２】
ブッシュ１５Ｅの鍔部１５Ｊは、第１ナット１５Ｃと第１支持ブロック部１５Ａとに挟まれて第１支持ブロック部１５Ａに固定される。そして、鍔部１５Ｈ、１５Ｊは、スラスト軸受として機能する。
【００３３】
このため、第１ナット１５Ｃ及びナット部１５Ｇは、ネジ棒１３の延び方向一端側が可動レール１２の長手方向と平行な方向に移動することを規制する規制部として機能する。なお、鍔部１５Ｈ、１５Ｊは、円筒状に形成されたブッシュ本体部から径方向外方に突出した鍔状の部位である。各鍔部１５Ｈ、１５Ｊと対応するブッシュ本体部とは一体成形品である。
【００３４】
＜第２支持部＞
第２支持部１６は、図６に示すように、第２支持ブロック部１６Ａ、第２軸受ナット１６Ｂ、平ワッシャ１６Ｃ、及び一対のブッシュ１６Ｄ、１６Ｅ等を少なくとも有する。第２支持ブロック部１６Ａは、ネジ棒１３が貫通する貫通穴１６Ｍを有する金属製の部材である。
【００３５】
第２支持ブロック部１６Ａは、ボルトＢ２にて可動レール１２に固定されている。当該第２支持ブロック部１６Ａの上下方向寸法Ｈ４（図９Ｂ参照）及び幅方向寸法Ｗ１（図９Ｂ参照）は、第２支持ブロック部１６Ａの前後方向寸法Ｌ１（図９Ｂ参照）以上である。
【００３６】
第２軸受ナット１６Ｂは、円筒状の円筒部１６Ｆ及びナット部１６Ｇを有する。円筒部１６Ｆの内周面には、ネジ棒１３に形成された雄ねじと結合する雌ねじが設けられている。つまり、ネジ棒１３は、円筒部１６Ｆの内部を貫通して当該円筒部１６Ｆ、つまり第２軸受ナット１６Ｂと一体化している。
【００３７】
円筒部１６Ｆの外周面は、一対のブッシュ１６Ｄ、１６Ｅを介して第２支持ブロック部１６Ａの貫通穴１６Ｍの内周面と間接的に滑り接触する。したがって、円筒部１６Ｆ、一対のブッシュ１６Ｄ、１６Ｅ及び第２支持ブロック部１６Ａの貫通穴１６Ｍの内周面により、ネジ棒１３を回転可能に支持するラジアル軸受部が構成されている。
【００３８】
ナット部１６Ｇは、第２支持ブロック部１６Ａに対して、円筒部１６Ｆの軸線方向他端に設けられている。ナット部１６Ｇは、円筒部１６Ｆの外径寸法より大きい外形寸法を有している。ナット部１６Ｇは、鍔部１６Ｈを介して第２支持ブロック部１６Ａの外壁面と間接的に対向する面１６Ｎを有している。
【００３９】
円筒部１６Ｆとナット部１６Ｇとは一体化されている。ナット部１６Ｇの外形状は、締め付け工具が装着可能な形状に構成されている。具体的には、当該外形状は、少なくとも二面幅部を有する形状（例えば、六角形状等）である。
【００４０】
平ワッシャ１６Ｃは、第２支持ブロック部１６Ａを挟んでナット部１６Ｇと反対側、つまり円筒部１６Ｆの軸線方向一端に配設されている。当該平ワッシャ１６Ｃは、円筒部１６Ｆの軸線方向一端面と対向するとともに、当該一端面と圧接した状態でネジ棒１３と一体的に回転する。
【００４１】
ブッシュ１６Ｄ、１６Ｅは、樹脂又は黄銅等の摩擦係数の小さい材質にて構成されている。鍔部１６Ｈ、１６Ｊは、円筒状に形成されたブッシュ本体部から径方向外方に突出した鍔状の部位である。各鍔部１６Ｈ、１６Ｊと対応するブッシュ本体部とは一体成形品である。
【００４２】
鍔部１６Ｈとナット部１６Ｇとの間には隙間１６Ｋが設けられている。鍔部１６Ｊとの間には隙間１６Ｌが設けられている。つまり、ナット部１６Ｇ及び平ワッシャ１６Ｃは、第２支持ブロック部１６Ａから離間している。
【００４３】
このため、ナット部１６Ｇ及び平ワッシャ１６Ｃそれぞれは、ネジ棒１３の延び方向他端側が、可動レール１２の長手方向と平行な方向に予め決められた寸法を超えて移動することを規制する規制部として機能する。
【００４４】
＜ナット部及び収納ブロック部＞
ネジ棒１３の外周面には雄ねじが形成されている。図７に示すナット部１４は、ネジ棒１３が貫通する貫通穴１４Ａを有している（図８参照）。当該貫通穴１４Ａの内周面には、ネジ棒１３の雄ねじと噛み合う雌ねじが設けられている。
【００４５】
因みに、第１軸受ナット１５Ｂ及び第２軸受ナット１６Ｂが結合された雄ねじのピッチ寸法は、ナット部１４が噛み合う雄ねじのピッチ寸法より小さい。これは、第１軸受ナット１５Ｂ、第２軸受ナット１６Ｂ及び第１ナット１５Ｃが緩むことを抑制するためである。
【００４６】
貫通穴１４Ａの貫通方向は、ネジ棒１３の中心軸線方向、つまり可動レール１２の長手方向と平行である。以下、可動レール１２の長手方向を貫通方向ともいう。
ナット部１４の貫通方向両端には、図８に示すように、当該貫通方向と略直交する平面部１４Ｂ、１４Ｃが設けられている。当該ナット部１４は、図７に示すように、金属製の収納ブロック部１７に収納されている。
【００４７】
ナット部１４を収納する収納部１７Ａは、一対の平面部１４Ｂ、１４Ｃそれぞれと対向する一対の接触面１７Ｂ、１７Ｃを有する。各接触面１７Ｂ、１７Ｃは対応する平面部１４Ｂ、１４Ｃと滑り接触可能である。
【００４８】
このため、収納部１７Ａに収納されたナット部１４は、当該収納部１７Ａ内において、貫通方向と直交する異なる２方向に変位することができ得る。つまり、ナット部１４は、収納部１７Ａ内において平面部１４Ｂ、１４Ｃと平行な方向に変位でき得る。
【００４９】
具体的には、収納部１７Ａの上下方向寸法Ｈ１は、ナット部１４の上下方向寸法Ｈ２より大きい。収納部１７Ａは、収納ブロック部１７を貫通方向と直交する水平方向（シート幅方向）に貫通した穴である。このため、ナット部１４は、上下方向及び当該水平方向に変位でき得る。
【００５０】
一対の接触面１７Ｂ、１７Ｃの上下方向寸法Ｈ３は、ネジ棒１３の直径寸法Ｄ以上である。なお、本実施形態では、一対の接触面１７Ｂ、１７Ｃのうち貫通方向と直交する水平方向部分の寸法もネジ棒１３の直径寸法Ｄ以上である。
【００５１】
収納ブロック部１７は固定レール１１に固定されている。本実施形態に係る収納ブロック部１７は、複数の締結具（本実施形態では、ボルトＢ３）により固定レール１１に固定されている。複数の締結具Ｂ３は、貫通方向（本実施形態では、シート前後方向）に直列に並んで設けられている。
【００５２】
＜駆動部＞
図３に示す駆動部１８は、電動モータＭから伝達されてきた回転力をネジ棒１３に伝達する。当該駆動部１８は、ウォーム１８Ａ及びウォームホィール１８Ｂ等を有して構成されている。なお、電動モータＭの回転力は、図２に示すように、シャフト１８Ｃを介して各スライド装置１０のウォームホィール１８Ｂに供給される。
【００５３】
３．本実施形態に係るスライド装置の特徴
ナット部１４は、貫通方向両端に貫通方向と略直交する平面部１４Ｂ、１４Ｃを有する。収納部１７Ａは、貫通方向と直交する異なる２方向に変位可能な状態でナット部１４を収納し、かつ、一対の平面部１４Ｂ、１４Ｃそれぞれに滑り接触可能な一対の接触面１７Ｂ、１７Ｃを有する。
【００５４】
これにより、ネジ棒１３が回転することにより発生する貫通方向の力は、一対の平面部１４Ｂ、１４Ｃのうちいずれか一方が一対の接触面１７Ｂ、１７Ｃのうちいずれか一方と接触することにより可動レール１２に作用する。
【００５５】
つまり、ナット部１４が可動レール１２に対してシート前方側に変位すようにネジ棒１３が回転した場合には、平面部１４Ｂと接触面１７Ｂとが圧接する。このとき、収納ブロック部１７が固定レール１１に固定され、かつ、ネジ棒１３は可動レール１２に対して貫通方向に変位できないため、可動レール１２がシート後方側に変位する。
【００５６】
また、ナット部１４が可動レール１２に対してシート後方側に変位すようにネジ棒１３が回転した場合には、平面部１４Ｃと接触面１７Ｃとが圧接するので、上記とは逆に、可動レール１２がシート前方側に変位する。
【００５７】
ナット部１４は、収納部１７Ａ内において、貫通方向と直交する異なる２方向に変位可能である。
このため、ネジ棒１３が上下方向に撓み変形した場合、又は上下方向の荷重を受けてネジ棒１３が上下方向に撓み変形した場合であっても、ナット部１４が収納部１７Ａ内に変位することにより、当該撓み変形を吸収でき得る。延いては、スライド装置１０に作動障害が発生することを抑制でき得る。
【００５８】
収納ブロック部１７は、複数の締結具Ｂ３により固定レール１１に固定され、複数の締結具Ｂ３は、貫通方向に並んでいる。これにより、収納ブロック部１７が固定レール１１に強固に固定されるので、スライド装置に作動障害が発生することを抑制でき得る。
【００５９】
一対の接触面１７Ｂ、１７Ｃのうち少なくとも上下方向寸法Ｈ３は、ネジ棒１３の直径寸法Ｄ以上である。これにより、各接触面１７Ｂ、１７Ｃの接触面圧が過度に大きくなることを抑制できるので、スライド装置１０の耐久性を向上させることができ得る。
【００６０】
（その他の実施形態）
上述の実施形態に係るナット部１４及び収納部１７Ａは、上端側及び下端側が円弧状の曲面にて構成されていた。しかし、本願明細書に開示された発明はこれに限定されるものではない。すなわち、例えば、上端側及び下端側が貫通方向と平行な平面で構成されたナット部１４及び収納部１７Ａであってもよい。
【００６１】
上述の実施形態に係る収納ブロック部１７が複数のボルトＢ３にて固定レール１１に固定されていた。しかし、本願明細書に開示された発明はこれに限定されるものではない。すなわち、例えば、１つのボルトＢ３にて固定レール１１に固定された構成であってもよい。
【００６２】
上述の実施形態では、一対の接触面１７Ｂ、１７Ｃのうち少なくとも上下方向寸法Ｈ３は、ネジ棒１３の直径寸法Ｄ以上であった。しかし、本願明細書に開示された発明はこれに限定されるものではない。
【００６３】
上述の実施形態では、ブッシュ１５Ｄ、１５Ｅ、１６Ｄ、１６Ｅが設けられていた。しかし、本発明の適用はこれに限定されるものではない。すなわち、ブッシュ１５Ｄ、１５Ｅ、１６Ｄ、１６Ｅが廃止された構成であってもよい。
【００６４】
上述の実施形態では、車両用シートに本発明に係るスライド装置１０を適用した。しかし、本発明の適用はこれに限定されるものではなく、鉄道車両、船舶及び航空機等の乗物に用いられるシート、並びに劇場や家庭用等に用いられる据え置き型シートにも適用できる。
【００６５】
さらに、本発明は、特許請求の範囲に記載された発明の趣旨に合致するものであればよく、上述の実施形態に限定されるものではない。したがって、上述した複数の実施形態のうち少なくとも２つの実施形態を組み合わせてもよい。
【符号の説明】
【００６６】
１… 乗物用シート  １０… スライド装置  １１… 固定レール
１２… 可動レール  １２Ａ… 転動体  １３… ネジ棒
１４… ナット部  １４Ａ… 貫通穴  １４Ｂ、１４Ｃ… 平面部
１５… 第１支持部  １５Ａ… 第１支持ブロック部
１５Ｂ… 第１軸受ナット  １５Ｃ… 第１ナット  １５Ｄ… ブッシュ
１５Ｆ… 円筒部  １５Ｇ… ナット部  １５Ｈ… 鍔部  １５Ｅ… ブッシュ
１５Ｊ… 鍔部  １６… 第２支持部  １６Ａ… 第２支持ブロック部
１６Ｂ… 第２軸受ナット  １６Ｃ… 平ワッシャ  １６Ｄ… ブッシュ
１６Ｆ… 円筒部  １６Ｇ… ナット部  １６Ｈ… 鍔部  １６Ｅ… ブッシュ
１６Ｊ… 鍔部  １７… 収納ブロック部  １７Ａ… 収納部
１７Ｂ、１７Ｃ… 接触面
【図１】
2018184055.tif 000003
【図２】
2018184055.tif 000004
【図３】
2018184055.tif 000005
【図４】
2018184055.tif 000006
【図５】
2018184055.tif 000007
【図６】
2018184055.tif 000008
【図７】
2018184055.tif 000009
【図８】
2018184055.tif 000010
【図９】
2018184055.tif 000011